(57)【要約】【課題】排気用のファンを備えた空気調和装置の室外ユニットにおいて、容易に任意の方向に排気方向を調整する。【解決手段】室外ユニット１０に配設される風向ガイドユニット６０において、ファンの排気を所定方向に導くフィン６５を備えた風向ガイド６３と、風向ガイド６３と排気口３０との間に配設され、断面矩形の空間を形成する中空の台座部７０とを備え、台座部７０は、風向ガイド６３につながる開口面７４と、排気口３０につながる開口面７３とを有し、開口面７４が開口面７３に対して傾いており、台座部７０は、その側面の一部が室外ユニット１０の天板１７に対し略平行となるよう、開口面７３の法線を回転軸として９０度ごとに取り付け方向を変えて取り付け可能な構成とした。【選択図】図３
2009063186.tif 000002
【特許請求の範囲】
【請求項１】
排気用のファンを備えた空気調和装置の室外ユニットに配設される風向ガイドユニットにおいて、
前記ファンの排気を所定方向に導くフィンを備えた風向ガイドと、
前記風向ガイドと前記ファンの排気口との間に配設され、断面矩形の空間を形成する中空の台座部と、を備え、
前記台座部は、前記風向ガイドにつながる第１の開口面と、前記ファンの排気口につながる第２の開口面とを有し、前記第１の開口面が前記第２の開口面に対して傾いており、
前記台座部は、その側面の一部が前記室外ユニットの天井面に対し略平行となるよう、前記第２の開口面の法線を回転軸として９０度ごとに取り付け方向を変えて取り付け可能に構成されたこと、
を特徴とする風向ガイドユニット。
【請求項２】
排気用のファンを備えた空気調和装置の室外ユニットにおいて、
前記ファンの排気を所定方向に導くフィンを備えた風向ガイドを、断面矩形の空間を形成する中空の台座部を介して前記ファンの排気口に配設し、
前記台座部は、前記風向ガイドにつながる第１の開口面と、前記ファンの排気口につながる第２の開口面とを有し、前記第１の開口面が前記第２の開口面に対して傾いており、
前記台座部は、その側面の一部が前記室外ユニットの天井面に対し略平行となるよう、前記第２の開口面の法線を回転軸として９０度ごとに取り付け方向を変えて取り付け可能に構成されたこと、
を特徴とする空気調和装置の室外ユニット。
【請求項３】
前記風向ガイドは、前記第１の開口面の法線を回転軸として９０度ごとに取り付け方向を変えて前記台座部に取り付け可能に構成されたこと、
を特徴とする請求項２記載の空気調和装置の室外ユニット。
【請求項４】
前記台座部は側面を４つの平面で囲まれた矩形の枠体であって、一つの側面が開口していること、
を特徴とする請求項２または３記載の空気調和装置の室外ユニット。
【請求項５】
前記台座部の３つの側面に、前記台座部にたまる雨水やごみを排出するためのドレン穴がノックアウト式で設けられたこと、
を特徴とする請求項４記載の空気調和装置の室外ユニット。
【請求項６】
前記室外ユニットの前面パネルには、前記台座部を取り付けるためのビス穴が、正方形の頂点を形成するよう並べて形成され、
前記台座部は、前記ビス穴と同一の並び及びピッチとなるよう配設された貫通穴を有し、
前記ビス穴と前記貫通穴とがビス止めされること、
を特徴とする請求項２から５のいずれかに記載の空気調和装置の室外ユニット。
【請求項７】
前記台座部の第１の開口面には、前記風向ガイドを取り付けるためのビス穴が、正方形の頂点を形成するよう並べて形成され、
前記風向ガイドは、前記ビス穴と同一の並び及びピッチとなるよう配設された貫通穴を有し、
前記ビス穴と前記貫通穴とがビス止めされること、
を特徴とする請求項２から６のいずれかに記載の空気調和装置の室外ユニット。
【発明の詳細な説明】
【技術分野】
【０００１】
本発明は、空気調和装置の室外ユニットに配設される風向ガイドユニット、および、空気調和装置の室外ユニットに関する。
【背景技術】
【０００２】
正面から排気を行う空気調和装置の室外ユニットを設置する場合、通路となる位置への排気を避けるよう設置方向を調整し、あるいは、排気される側にスペースを確保する等、設置に関して様々な調整を行う必要があった。そこで、室外ユニットの排気口に排気方向を変化させる風向調整板を配置したものが提案された（例えば、特許文献１参照）。
【特許文献１】特開平１１−２０１５４２号公報
【発明の開示】
【発明が解決しようとする課題】
【０００３】
上記従来の風向調整板は、室外ユニットの排気方向を上向きに変えるものであったが、上向きに限らず任意の方向に容易に排気方向を調整したいというニーズがあった。
【０００４】
本発明は、上述した事情に鑑みてなされたものであり、排気用のファンを備えた空気調和装置の室外ユニットにおいて、任意の方向に排気方向を調整できるようにすることを目的とする。
【課題を解決するための手段】
【０００５】
上記課題を解決するため、本発明の風向ガイドユニットは、排気用のファンを備えた空気調和装置の室外ユニットに配設される風向ガイドユニットにおいて、前記ファンの排気を所定方向に導くフィンを備えた風向ガイドと、前記風向ガイドと前記ファンの排気口との間に配設され、断面矩形の空間を形成する中空の台座部とを備え、前記台座部は、前記風向ガイドにつながる第１の開口面と、前記ファンの排気口につながる第２の開口面とを有し、前記第１の開口面が前記第２の開口面に対して傾いており、前記台座部は、その側面の一部が前記室外ユニットの天井面に対し略平行となるよう、前記第２の開口面の法線を回転軸として９０度ごとに取り付け方向を変えて取り付け可能に構成されたことを特徴とする風向ガイドユニットを特徴とする風向ガイドユニットを提供する。
上記構成によれば、ファンの排気を所定方向に導くフィンを備えた風向ガイドを有する風向ガイドユニットが、台座部の側面の一部が室外ユニットの天井面に対し略平行となるよう、第２の開口面の法線を回転軸として９０度ごとに取り付け方向を変えて、室外ユニットに取り付け可能であるため、風向ガイドは、任意の方向に取り付け方向を調整することが可能である。これにより、室外ユニットの排気方向を任意の向きに容易に変更できる。すなわち、台座部を、９０°ごとに回転させることで、４つの方向に取り付け方向を調整できるため、台座部に取り付けられた風向ガイドは、任意の方向に取り付け方向を調整可能であり、排気方向を任意の向きに容易に変更できる。
【０００６】
また、本発明は、排気用のファンを備えた空気調和装置の室外ユニットにおいて、前記ファンの排気を所定方向に導くフィンを備えた風向ガイドを、断面矩形の空間を形成する中空の台座部を介して前記ファンの排気口に配設し、前記台座部は、前記風向ガイドにつながる第１の開口面と、前記ファンの排気口につながる第２の開口面とを有し、前記第１の開口面が前記第２の開口面に対して傾いており、前記台座部は、その側面の一部が前記室外ユニットの天井面に対し略平行となるよう、前記第２の開口面の法線を回転軸として９０度ごとに取り付け方向を変えて取り付け可能に構成されたことを特徴としている。
上記構成によれば、ファンの排気を所定方向に導くフィンを備えた風向ガイドを有する風向ガイドユニットが、台座部の側面の一部が室外ユニットの天井面に対し略平行となるよう、第２の開口面の法線を回転軸として９０度ごとに取り付け方向を変えて、室外ユニットに取り付け可能であるため、風向ガイドは、任意の方向に取り付け方向を調整することが可能である。これにより、室外ユニットの排気方向を任意の向きに容易に変更できる。すなわち、台座部を、９０°ごとに回転させることで、４つの方向に取り付け方向を調整できるため、台座部に取り付けられた風向ガイドは、任意の方向に取り付け方向を調整可能であり、排気方向を任意の向きに容易に変更できる。
【０００７】
上記構成において、前記風向ガイドは、前記第１の開口面の法線を回転軸として９０度ごとに取り付け方向を変えて前記台座部に取り付け可能に構成される構成としても良い。
この場合、台座部に取り付けられた風向ガイドが、台座部に対し第１の開口面の法線を回転軸として９０度ごとに取り付け方向を変えて取り付けることが可能なため、排気方向を様々な方向に変えることができる。具体的には、風向ガイドのフィンが向く方向は、台座部の取り付け方向を固定して風向ガイドの取り付け方向を９０°ごとに変更する場合、風向ガイドのフィンがファンの排気を導く方向と、第１の開口面が傾く方向とが、同一の場合が１通りある。また、風向ガイドのフィンがファンの排気を導く方向と、第１の開口面が傾く方向とが異なる場合が３通りあり、合計で４通りあり、さらに、台座部の取り付け方向を９０°ごとに変更した場合、台座部の取り付け方向は４通りある。つまり、合計で１６通りに排気方向を調整でき、排気方向を任意の向きに容易に変更できる。
【０００８】
上記構成において、前記台座部は側面を４つの平面で囲まれた矩形の枠体であって、一つの側面が開口した構成としてもよい。
この場合、台座部の一つの側面が開口しているため、この開口から排気することによって排気抵抗を低減できる。
【０００９】
上記構成において、前記台座部の３つの側面に、前記台座部にたまる雨水やごみを排出するためのドレン穴がノックアウト式で設けられる構成としても良い。
この場合、枠体の３つの側面がドレン穴を備え、もう一つの側面は開口面であるため、どの方向に台座部を取り付けても、室外ユニットの下方向に面したドレン穴または開口面が配置されるため、台座部に侵入した雨水やごみがドレン穴または開口面から排出され、台座部に雨水やごみが溜まらない。また、ドレン穴はノックアウト式で設けられるため、ドレン穴が必要ない場合に、ドレン穴を塞いでおくことができ、不要な排気漏れを防止できる。
【００１０】
上記構成において、前記室外ユニットの前面パネルには、前記台座部を取り付けるためのビス穴が、正方形の頂点を形成するよう並べて形成され、前記台座部は、前記ビス穴と同一の並び及びピッチとなるよう配設された貫通穴を有し、前記ビス穴と前記貫通穴とがビス止めされる構成としても良い。
この場合、排気口の面のビス穴と台座部の貫通穴とが、正方形の頂点を形成する並びで４箇所に同一の並び及びピッチで配設されるため、台座部を９０°ごとに回転させても常にビス穴と貫通穴とが一致し、台座部を容易に取り付けできる。
【００１１】
上記構成において、前記台座部の第１の開口面には、前記風向ガイドを取り付けるためのビス穴が、正方形の頂点を形成するよう並べて形成され、前記風向ガイドは、前記ビス穴と同一の並び及びピッチとなるよう配設された貫通穴を有し、前記ビス穴と前記貫通穴とがビス止めされる構成としても良い。
この場合、台座部のビス穴と風向ガイドの貫通穴とが、正方形の頂点を形成する並びで４箇所に同一の並び及びピッチで配設されるため、台座部を９０°ごとに回転させても常にビス穴と貫通穴とが一致し、台座部を容易に取り付けできる。
【発明の効果】
【００１２】
本発明によれば、排気用のファンを備えた空気調和装置の室外ユニットにおいて、容易に任意の方向に排気方向を調整できる。
【発明を実施するための最良の形態】
【００１３】
以下、図面を参照して本発明の実施形態を詳述する。
本実施形態に係る空気調和装置は、室内ユニット（図示略）と室外ユニット１０とが冷媒配管で接続されてなる冷媒回路を構成し、この冷媒回路に冷媒を流して冷房運転及び暖房運転を行う。室外ユニット１０は、冷媒と室外空気との間で熱交換し、冷房運転時には冷媒を凝縮させて外気に熱を放出し、暖房運転時には冷媒を蒸発させて外気から熱を取り込むものである。なお、以下に述べる上下、左右、側面および背面といった方向は、室外ユニット１０を設置した状態でその正面側から見た場合の方向を示している。
【００１４】
図１は、室外ユニット１０の正面図であり、図２は室外ユニット１０を上方から見た平面図である。図１には、天板１７、排気口パネル１６、前面パネル１３及び外板１４を取り外した状態を示している。図２には、天板１７を外した状態を示す。
室外ユニット１０は、略直方体箱形状のケース１１を備え、ケース１１は、底板１２、天板１７、排気口パネル１６、前面パネル１３及び外板１４を有し、ケース１１の内部は、鉛直に延びる仕切り板１５によって、機械室Ｒ１と熱交換室Ｒ２とに仕切られている。さらに、仕切り板１５は、上下に分割された上部仕切り板１５ａと下部仕切り板１５ｂとから構成されている。
図２に示す室外ユニット１０の前面のパネルは、仕切り板１５を境に左右に二分割された排気口パネル１６と前面パネル１３とで構成され、これらは各々独立して着脱自在である。
【００１５】
機械室Ｒ１の下部の空間には、冷媒回路の一部を構成する圧縮機３１、アキュムレータ３２および切替弁や凝縮弁といった弁体などが配管接続されて収容される。この機械室Ｒ１内の配管の一端側は、熱交換器５０を介して室内ユニットと配管接続され、配管の他端側は室内ユニットに配管接続される。
機械室Ｒ１の上部の空間には、空気調和装置を制御する制御基板などの各種電装品４２が配設された電装ボックス４０が配置される。この電装ボックス４０は、電装品支持板４１を有し、前面パネル１３と略平行に配置される電装品支持板４１は、上部仕切り板１５ａに取り付けられている。
【００１６】
熱交換室Ｒ２には、熱交換器５０と共に送風機２２とが収容される。
送風機２２は、熱交換室Ｒ２内の左右一対の支柱２４Ｌ、２４Ｒに台座２５を介して固定されたファンモータ２６と、このファンモータ２６の軸に取り付けられたファン２７とから構成され、ファン２７が熱交換室Ｒ２の前面側に配置される。また、ファン２７の前面には、円筒状の風洞ケース２８が配置され、風洞ケース２８の開口部は、排気口パネル１６に形成された排気口３０に通じている。排気口３０には、ファンガード２９が取り付けられている。
【００１７】
熱交換器５０は、室外ユニット１０の左側面及び背面に沿うように略Ｌ字形状に成形され、室外ユニット１０の左側面及び背面の壁面部の一部を構成するように配置されている。外側に露出している熱交換器５０の露出面には、熱交換器５０のフィンガード５４が取り付けられている。
ファンモータ２６によりファン２７が回転駆動されると、室外ユニット１０の周囲の空気は、熱交換器５０の背面側及び左側面側から熱交換室Ｒ２内に吸い込まれ、熱交換器５０を通過した後に、熱交換室Ｒ２の前部の排気口３０を通って、図中矢印で示す方向に外部へ排出される。このように、室外ユニット１０は、背面から空気を吸い込み、熱交換された空気を前面から排気するように構成されている。
【００１８】
図３は、風向ガイドユニット６０が取り付けられた室外ユニット１０の斜視図である。
室外ユニット１０の排気口パネル１６には、排気の向きを調整する風向ガイドユニット６０が取り付けられている。風向ガイドユニット６０は、排気口パネル１６に取り付けられる台座部７０と、この台座部７０に取り付けられる風向ガイド６３とによって構成される。
また、排気口パネル１６には、風向ガイドユニット６０を取り付けるためのビス穴１６ａが、正方形の頂点を形成するよう並べられて４箇所に形成されている。
【００１９】
図４は、風向ガイド６３の斜視図である。
風向ガイド６３は、正方形の１面を欠いた３面からなる形状の枠６４と、枠６４内に固定された複数のフィン６５とを備えて構成される。フィン６５は、断面が弧を描くよう湾曲した板状部材であり、その側面が、枠６４の２つの側面に跨って固定される。フィン６５は風向ガイド６３の前面側で図中上に、背面側（室外ユニット１０側）で図中下に向くよう傾けられており、全てのフィン６５が等しい角度で傾けられている。図４に示す状態では、風向ガイド６３に背面から進入した排気は、風向ガイド６３の前面側の斜め上方に風路が変更される。また、枠６４の枠面６４ａは、フィン６５と同様に湾曲した板状部材であり、フィン６５と同じ向き及び角度で傾いている。フィン６５の中央部には、図中上下方向に伸びて各々のフィン６５及び枠面６４ａを連結する補強部材が形成されている。
枠６４の四隅の近傍には、正方形の頂点を形成するよう並べられた貫通穴６６が４箇所に穿設され、この貫通穴６６には風向ガイド６３を固定するためのビス（図示略）が配設される。
【００２０】
図５は、台座部７０が取り付けられた室外ユニット１０の斜視図である。
台座部７０は、断面がコの字状の部材であって、対称形状に形成された２枚の側板７１，７１を、１枚の底板７２の両端に立てるように組付けられて構成され、断面矩形の空間を有している。台座部７０は、排気口パネル１６に取り付けられた状態では、室外ユニット１０の天井面を形成する天板１７と台座部７０の一つの側面とが略平行となるよう取り付けられ、排気口３０の正面から見ると、矩形の取り付け部材を形成している。台座部７０は、排気口パネル１６に台座部７０が連結される面である開口面７３（第２の開口面）を有し、この開口面７３では、台座部７０内の空間が排気口３０に連通する。
また、台座部７０は、風向ガイド６３に連結される開口面７４（第１の開口面）を有し、この開口面７４では、台座部７０内の空間が枠６４の内側に連通する。さらに、底板７２と対向する台座部７０の一つの側面である側面開口面８０は外部に連通している。
【００２１】
台座部７０を構成する２枚の側板７１、７１は、台形であり、台形の長辺の長さは、底板７２の幅と略同一であり、底板７２より小さい面積を有す側面開口面８０の幅方向の辺を構成する台形の短辺の長さは、台形の長辺より短い。この台形の長辺と短辺とを繋ぐ一方の辺は、室外ユニット１０の排気口パネル１６に沿って接し、他方の辺は斜辺７１ａ、７１ａとなっており、斜辺７１ａ、７１ａが、風向ガイド６３と連結される開口面７４を形成している。このため、開口面７４は、排気口３０に平行な開口面７３に対して傾斜しており、風向ガイド６３は排気口３０に対して、傾斜角を持って取り付けられる。この傾斜角は、図３に示すように、風向ガイド６３のフィン６５の排気方向と、台座部７０の傾斜方向（側面開口面８０の方向）とが同一方向を向いて連結された場合に、風向ガイドユニット６０に進入した排気が略直角に風路を変更される角度である。
【００２２】
図４に示すように、側板７１，７１の縁には、ほぼ全周に亘って台座部７０の内側に板を折り曲げたリブが形成されており、排気口パネル１６と連結される開口面７３にあたる部分には、リブが延長されたブラケット７５が各々の側板７１，７１に２箇所ずつ形成されている。このブラケット７５には、台座部７０を排気口パネル１６に取り付けるビス（図示略）が貫通する貫通穴７６が穿設されており、ブラケット７５は、排気口パネル１６に台座部７０が取り付けられた状態では、台座部７０の内側に位置している。また、側板７１，７１には、側板７１，７１と底板７２とをビス等で連結するための貫通穴７７が穿設されている。
底板７２の縁には、板を折り曲げたリブが形成されており、底板７２の長手方向の両端のリブには、ビス等により側板７１，７１と底板７２とを連結するための貫通穴（図示略）が穿設されている。
【００２３】
台座部７０が排気口パネル１６に取り付けられた状態では、台座部７０のブラケット７５の貫通穴７６は、正方形の頂点を形成するよう並べられて４箇所に配置され、その配置は、排気口パネル１６に形成されたビス穴１６ａと同一の並び及びピッチである。このため、台座部７０を９０°ごとに回転させても、貫通穴７６とビス穴１６ａとが重なるので、風向ガイドユニット６０は９０°ごとに取り付け位置を変えて室外ユニット１０に取り付けできる。
【００２４】
また、側板７１，７１において、風向ガイド６３に連結される開口面７４にあたるリブには、風向ガイド６３と台座部７０とをビスにより連結するためのビス穴７８が形成されている。ビス穴７８は、正方形の頂点を形成するよう並べられて４箇所に形成され、その配置は、風向ガイド６３の枠６４に穿設された貫通穴６６と同一の並び及びピッチである。このため、風向ガイド６３を９０°ごとに回転させても、貫通穴６６と台座部７０のビス穴７８とが重なるので、風向ガイド６３は９０°ごとに取り付け位置を変えて台座部７０に取り付けできる。
【００２５】
風向ガイドユニット６０では、台座部７０が有する開口面７３及び開口面７４を介して、排気口３０から風向ガイド６３に至る風路が形成される。排気口３０から吹き出したファン２７の排気は、台座部７０の内部を通り、風向ガイド６３に導かれ、風向ガイド６３のフィン６５が向く所定方向に風向が変更され、フィン６５及び側面開口面８０から外部に吹き出すこととなる。
【００２６】
さらに、台座部７０の側面を構成する側板７１，７１及び底板７２の各々には、台座部７０に侵入した雨水等を排出するドレン穴７９が２箇所ずつ設けられている。ドレン穴７９はノックアウト式で設けられており、ドレン穴７９が必要であれば、ドレン穴７９を打ち抜いてドレン穴７９を容易に設けることができ、不要であればドレン穴７９を開けないという選択が可能である。すなわち、風向ガイドユニット６０が設置される際に、設置状況に応じてユーザ等がドレン穴７９を開けるか否かを選択でき、風向ガイドユニット６０の取付時に下になった台座部７０の面にドレン穴７９を開ければ良い。
【００２７】
ここで、風向ガイドユニット６０の取り付け方向について説明する。
風向ガイドユニット６０は、天板１７と矩形の台座部７０の一つの側面が略平行となるよう取り付けられ、かつ、９０°ごとに取り付け位置を変えて室外ユニット１０に取り付けできるため、台座部７０の側面開口面８０は、室外ユニット１０における上下左右の４方向の内、任意のいずれかの方向を向いて取り付けられる。
さらに、風向ガイド６３も同様に９０°ごとに取り付け位置を変えて台座部７０に取り付けできるため、風向ガイド６３のフィン６５は、室外ユニット１０における上下左右の４方向の内、任意のいずれかの方向を向いて取り付けられる。また、台座部７０は、側面開口面８０に向かって傾斜しているため、例えば、この傾きが無く平らな台座部７０であった場合と比較すると、９０°ごとに回転させたときの排気方向の変化が大きく、斜め方向等へ排気方向を変化させることができる。
すなわち、排気の方向は、風向ガイド６３のフィン６５の排気方向と台座部７０の傾斜方向（側面開口面８０の方向）とを一致させて、台座部７０を９０°ごとに回転させ、排気を略直角に上下左右のいずれかの方向に変化させる形態が４通りある。さらに、台座部７０に対し風向ガイド６３を９０°ごとに回転させて、排気を斜め方向等に変化させる形態が１２通りあり、風向ガイドユニット６０は、合計で排気方向を１６通りに変更できる。
【００２８】
ここで、幾つかの取り付け例を説明する。
図３に示す取り付け例は、風向ガイド６３のフィン６５の排気方向と台座部７０の傾斜方向（側面開口面８０の方向）とを一致させて、排気を略直角に上方に変化させる取り付け例である。この取り付け方向は、設置環境等の理由により、排気を室外ユニット１０の前方に向けることができず、上方への排気が適している場合に有効である。この例では、雨水等は、底板７２に溜まるため、底板７２にドレン穴７９を設ければ良く、側板７１，７１のドレン穴７９は、打ち抜かずに残しておくと良い。
【００２９】
図６は、下方向に排気する風向ガイドユニット６０の斜視図である。
図６は、図３の取り付け例において、風向ガイドユニット６０が台座部７０ごと１８０°回転されたものである。この場合、略直角に下方向への排気が適している場合に有効である。また、豪雪地帯等では、雪が室外ユニット１０の内部に排気口３０から侵入することを防止する防雪ダクトとしても機能する。
下方向への排気を目的としてこの取り付け方向にした場合、側面開口面８０が室外ユニット１０の下方向に面しており、開口しているため、雨水等が台座部７０に溜まることがない。また、台座部７０の全てのドレン穴７９は、打ち抜かずに残しておくと良い。
防雪ダクトとしての機能を目的としてこの取り付け方向にした場合、フィン６５が下を向き、台座部７０は下方に向かって幅が狭くなる向きで傾斜しているため、雪が風向ガイドユニット６０内に侵入しにくい。また、側面開口面８０が室外ユニット１０の下方向に面するため、雪が溜まりにくい。台座部７０の全てのドレン穴７９は、排気漏れや雪の侵入を防止するために開けないでおくことが好ましい。
【００３０】
図７は、横方向に排気する風向ガイドユニット６０の斜視図である。
図７は、図３の取り付け例において、風向ガイドユニット６０が台座部７０ごと９０°回転されたものである。この場合、略直角に右方向への排気が適している場合に有効であり、また、この状態から台座部７０ごと１８０°回転させると、略直角に左方向へ排気することができる。この例では、ドレン穴７９は、室外ユニット１０の下方向に面する側板７１に開けることが好ましい。
上述したように、風向ガイド６３のフィン６５の排気方向と台座部７０の傾斜方向（側面開口面８０の方向）とを一致させて９０°ごとに台座部７０を回転させて取り付けることで、排気を略直角に上下左右の方向に４通りに変更することができる。
【００３１】
図８は、斜め方向に排気する風向ガイドユニット６０の斜視図である。
図８は、図７の取り付け例において、台座部７０はそのままの位置とし、風向ガイド６３が９０°回転されて、下向きに排気を導くように取り付けられたものである。この取り付け例では、風向ガイド６３のフィン６５の排気方向と台座部７０の傾斜方向（側面開口面８０の方向）とが異なり、フィン６５に対しファン２７の排気が当たる角度が浅くなるため、排気方向は、直角より浅い角度に変更される。この例では、台座部７０は、右方向に傾いており、風向ガイド６３が下向きであるため、排気方向は右斜め下の方向に変更される。
このように、風向ガイド６３のフィン６５の排気方向と台座部７０の傾斜方向（側面開口面８０の方向）とが異なるように、台座部７０及び風向ガイド６３を９０°ごとに回転させて取り付けることで、排気を上下左右に限らず、斜めの方向やねじれ方向に変更することができ、この取り付け方法では、排気方向を１２通りに変更することができる。
【００３２】
以上説明したように、この構成によれば、ファン２７の排気を所定方向に導くフィン６５を備えた風向ガイド６３と、風向ガイド６３が取り付けられる中空の台座部７０とを備え、台座部７０は、その側面の一部が天板１７に対し略平行となるよう、開口面７３の法線を回転軸として９０度ごとに取り付け方向を変えて、排気口パネル１６に取り付け可能に構成されているため、台座部７０は、９０°ごとの回転により、４つの方向に取り付け方向を調整可能であるため、台座部７０に取り付けられた風向ガイド６３は、任意の方向に取り付け方向を調整可能であり、排気方向を容易に変更できる。
【００３３】
また、風向ガイド６３が傾いて台座部７０に取り付けられ、台座部７０は、９０°ごとの回転により、４つの方向に取り付け方向を調整可能であり、さらに、風向ガイド６３は、９０°ごとに取り付け方向を変えて４つの方向に台座部７０に取り付け可能であるため、風向ガイド６３が室外ユニット１０に対して取り付けられる組み合わせは、合計で１６通りとなり、風向ガイド６３は、任意の方向に取り付け方向を調整可能であり、排気方向を容易に変更できる。
【００３４】
また、台座部７０は側面を４つの平面で囲まれた矩形の枠体であって、一つの側面が側面開口面８０であり、外部に開口しているため、側面開口面８０から排気することによって、排気抵抗を低減できる。
【００３５】
また、台座部７０の３つの側面を構成する側板７１，７１及び底板７２にノックアウト式のドレン穴７９が設けられ、もう一つの側面は側面開口面８０であるため、どの方向に台座部７０を取り付けても、ドレン穴７９または側面開口面８０から、台座部７０に溜まる雨水やごみを排出することができる。また、ドレン穴７９は、ノックアウト式であるため、室外ユニット１０の設置状況に応じてドレン穴７９を設けるか否かを選択できる。
【００３６】
また、排気口パネル１６のビス穴１６ａと、台座部７０の貫通穴７６とが、正方形の頂点を形成するよう並べられて、４箇所に同一の並び及びピッチとなるよう形成されているため、台座部７０を９０°ごとに回転させても常にビス穴１６ａと貫通穴７６とが一致し、台座部７０を９０°ごとに回転させて排気口パネル１６に取り付けることができる。
【００３７】
また、台座部７０のビス穴７８と、風向ガイド６３の貫通穴６６とが、正方形の頂点を形成するよう並べられて、４箇所に同一の並び及びピッチとなるよう形成されているため、風向ガイド６３を９０°ごとに回転させても常にビス穴７８と貫通穴６６とが一致し、風向ガイド６３を９０°ごとに回転させて台座部７０に取り付けることができる。
【００３８】
なお、上記実施の形態は本発明を適用した一態様であり、本発明は上記実施の形態に限定されないのは勿論である。例えば、上記実施の形態では、室外ユニット１０は排気口３０を一つ備えた室外ユニット１０について説明したが、排気口３０の数は特に限定されるものではなく、より大型の室外ユニットで排気口３０を複数備えるものに風向ガイドユニット６０を複数台取り付けても良い。また、台座部７０及び風向ガイド６３は、ビス止めにより取り付けられているが、ビス止めに限らず、爪等に引っ掛けて取り付ける構成としても良く、その他の細部構成についても任意に変更可能であることは勿論である。
【図面の簡単な説明】
【００３９】
【図１】本発明を適用した実施形態に係る室外ユニットの正面図である。
【図２】室外ユニットの天板等を外した状態の平面図である。
【図３】風向ガイドユニットが取り付けられた室外ユニットの斜視図である。
【図４】風向ガイドの斜視図である。
【図５】台座部が取り付けられた室外ユニットの斜視図である。
【図６】下方向に排気する風向ガイドユニットの斜視図である。
【図７】横方向に排気する風向ガイドユニットの斜視図である。
【図８】斜め方向に排気する風向ガイドユニットの斜視図である。
【符号の説明】
【００４０】
１０  室外ユニット
１６  排気口パネル
１６ａ  ビス穴
１７  天板
２７  ファン
３０  排気口
６０  風向ガイドユニット
６３  風向ガイド
６５  フィン
６６  貫通穴
７０  台座部
７１  側板
７２  底板
７３  開口面（第２の開口面）
７４  開口面（第１の開口面）
７５  ブラケット
７６  貫通穴
７８  ビス穴
７９  ドレン穴
８０  側面開口面
【図１】
2009063186.tif 000003
【図２】
2009063186.tif 000004
【図３】
2009063186.tif 000005
【図４】
2009063186.tif 000006
【図５】
2009063186.tif 000007
【図６】
2009063186.tif 000008
【図７】
2009063186.tif 000009
【図８】
2009063186.tif 000010